(57)【要約】【課題】画像投射装置において対向配置された２つの光学素子を効率良く冷却する。【解決手段】画像投射装置は、それぞれ光源からの光が透過する透過面を有し、該透過面が空間Ｓを挟んで互いに対向するように配置された第１の光学素子９および第２の光学素子８と、冷却ファン１４，１６の回転により流れる冷却用の空気を、該空間内に、透過面に沿った第１の方向の両側から流入させる２つの導気部１５，１７を含む冷却構造とを有する。２つの導気部は、上記両側から空間内に流入した空気が互いに衝突した後において、第１の光学素子の透過面に向かう該空気の流量が、第２の光学素子の透過面に向かう該空気の流量よりも多くなるように構成されている。【選択図】図１
2014021459.tif 000002
【特許請求の範囲】
【請求項１】
光源からの光を用いて画像を投射する画像投射装置であって、
それぞれ前記光が透過する透過面を有し、該透過面が空間を挟んで互いに対向するように配置された第１の光学素子および第２の光学素子と、
冷却ファンの回転により流れる冷却用の空気を、前記空間内に、前記透過面に沿った第１の方向の両側から流入させる２つの導気部を含む冷却構造とを有し、
前記２つの導気部は、前記両側から前記空間内に流入した前記空気が互いに衝突した後において、前記第１の光学素子の前記透過面に向かう該空気の流量が、前記第２の光学素子の前記透過面に向かう該空気の流量よりも多くなるように構成されていることを特徴とする画像投射装置。
【請求項２】
前記第１および第２の光学素子の前記透過面が互いに対向する方向において、
前記２つの導気部における前記空気が前記空間に向けて流出する流出口の幅が前記空間の幅よりも狭く、かつ該流出口の中心が前記空間の中心よりも前記第２の光学素子に近い位置に配置されていることを特徴とする請求項１に記載の画像投射装置。
【請求項３】
前記冷却構造は、前記空間内の前記空気を、前記透過面に沿った方向であって前記第１の方向に直交する第２の方向に排出させる排気部を有することを特徴とする請求項１又は２に記載の画像投射装置。
【請求項４】
前記第１の光学素子の許容温度が、前記第２の光学素子の許容温度よりも低いことを特徴とする請求項１から３のいずれか１項に記載の画像投射装置。
【発明の詳細な説明】
【技術分野】
【０００１】
本発明は、液晶プロジェクタ等の画像投射装置に関し、特に装置内に配置された光学素子の冷却技術に関する。
【背景技術】
【０００２】
上記のような画像投射装置では、長時間にわたって強い光が照射され、その光を吸収した光学素子の温度が上昇し、その性能が劣化する可能性がある。光学素子の温度上昇を緩和するために、光学素子を効率良く冷却することが求められる。従来の画像投射装置では、互いに対向するように配置された２つの光学素子の間の空間に、冷却用の空気（冷却風）を層流またはそれに近い状態で通すことで該２つの光学素子を空冷する方法が用いられてきた。
【０００３】
一般に、層流状態の冷却風の熱伝達能力は低く、画像投射装置の高輝度化に伴って光学素子の発熱量が増加する場合には、冷却風量または風速を増加させるために冷却ファンを大型化したり冷却ファンの回転数を増加させたりする必要がある。ただし、冷却ファンの大型化は装置の小型化を妨げる。また、冷却ファンの回転数を増加させると、冷却ファンから発生する騒音が増加する。
【０００４】
このため、最近では、複数の方向からの冷却風を互いに衝突させることで積極的に乱流を生じさせ、その乱流が持つ高い熱伝達率を利用して光学素子を冷却する方法が用いられている。特許文献１には、液晶パネルと偏光板との間の空間に、それらパネルおよび偏光板の表面に沿った方向であって互いに直交する２方向から導入した冷却風を互いに衝突させて乱流を生じさせることで該液晶パネルと偏光板を冷却する画像投射装置が開示されている。また、特許文献２には、液晶パネルと偏光板との間の空間に、それらパネルおよび偏光板の表面に沿った方向の両側から互いに異なる風速ベクトルを持つ２つの冷却風を導入するようにした画像投射装置が開示されている。この装置では、該２つの冷却風を互いに衝突させることで、液晶パネルおよび偏光板の表面に垂直に向かう冷却風の旋回流を生じさせ、高効率な冷却を行う。
【先行技術文献】
【特許文献】
【０００５】
【特許文献１】特開２０００−１９４０７３号公報
【特許文献２】特開２００８−１０７３８７号公報
【発明の概要】
【発明が解決しようとする課題】
【０００６】
多くの画像投射装置では、互いに対向するように配置された２つの光学素子の発熱量には差がある。例えば、液晶パネルとこれから射出した光が入射する偏光板とでは、発熱量は液晶パネルの方が大きくなる。
【０００７】
しかしながら、特許文献１，２にて開示された画像投射装置では、互いに対向する光学素子に対して送風される冷却風量は同じである。つまり、発熱量が大きい光学素子を目標とする温度に冷却するために、発熱量が小さい光学素子に対して必要以上の冷却風量を送風している。このため、冷却ファンのサイズや回転数が、本来それらの光学素子の冷却に必要なサイズや回転数より高くなり、発生する騒音も大きくなる。
【０００８】
本発明は、互いに対向するように配置された２つの光学素子のそれぞれを適切な冷却風量によって効率良く冷却し、冷却ファンの小型化や回転数および騒音の低減を図れるようにした画像投射装置を提供する。
【課題を解決するための手段】
【０００９】
本発明の一側面としての画像投射装置は、それぞれ光源からの光が透過する透過面を有し、該透過面が空間を挟んで互いに対向するように配置された第１の光学素子および第２の光学素子と、冷却ファンの回転により流れる冷却用の空気を、該空間内に、透過面に沿った第１の方向の両側から流入させる２つの導気部を含む冷却構造とを有する。そして、２つの導気部は、上記両側から空間内に流入した空気が互いに衝突した後において、第１の光学素子の透過面に向かう該空気の流量が、第２の光学素子の透過面に向かう該空気の流量よりも多くなるように構成されている。
【発明の効果】
【００１０】
本発明によれば、空間内で互いに衝突して第１および第２の光学素子の透過面にそれぞれ向かう空気の流量を互いに異ならせる（一方を他方より多くする）ことができる。このため、第１および第２の光学素子のそれぞれを適切な空気流量によって効率良く冷却することができる。この結果、冷却ファンの小型化や回転数および騒音の低減を図ることができ、画像投射装置の小型化および静音化を実現することができる。
【図面の簡単な説明】
【００１１】
【図１】本発明の実施例１である液晶プロジェクタ内に設けられた冷却構造を示す図。
【図２】実施例１における冷却構造のα方向視図。
【図３】実施例１における冷却構造の変形例を示す図。
【図４】実施例１の液晶プロジェクタの光学構成を示す断面図。
【図５】本発明の実施例２である液晶プロジェクタ内に設けられた冷却構造を示す図。
【図６】実施例２における冷却構造の変形例を示す図。
【図７】実施例２における冷却構造での空気流のシミュレーション計算結果を示す図。
【図８】実施例２における冷却構造の別の変形例を示す図。
【図９】本発明の実施例３である液晶プロジェクタ内に設けられた冷却構造を示す図。
【発明を実施するための形態】
【００１２】
以下、本発明の実施例について図面を参照しながら説明する。
【実施例１】
【００１３】
まず、図４には、本発明の実施例１である画像投射装置としての液晶プロジェクタの光学構成を示している。１は白色光を射出する光源（ランプ）である。１３は投射レンズ（投射光学系）である。光源１から射出された白色光は、後述する色分解合成光学系によって赤（Ｒ）、緑（Ｇ）および青（Ｂ）の３つの色光に分解され、該プロジェクタに入力された画像信号に応じて色光ごとに液晶パネルによって変調（画像変調）される。変調された赤光、緑光および青光は、色分解合成光学系によって再び合成され、その合成された光によって形成されるカラー画像は、投射レンズ１３を介してスクリーン等の被投射面に拡大されて投射される。光源１と色分解合成光学系との間には、光源１から射出した無偏光光を特定の偏光方向を有する直線偏光（本実施例では、Ｐ偏光とする）に変換する偏光変換素子１０１が配置されている。
【００１４】
色分解合成光学系において、２はダイクロイックミラーであり、青光と赤光を反射し、緑光を透過することで、これらを分離する。３はＧ用入射側偏光板であり、透明基板に偏光素子を貼り付けて製作されている。Ｇ用入射側偏光板３は、Ｐ偏光のみを透過する。４は第１の偏光ビームスプリッタであり、Ｐ偏光を透過してＳ偏光を反射する偏光分離面を有する。
【００１５】
５Ｒ，５Ｇ，５Ｂはそれぞれ、入射した光を反射するとともに画像変調する赤用の反射型液晶パネル、緑用の反射型液晶パネルおよび青用の反射型液晶パネルである。６Ｒ，６Ｇ，６Ｂはそれぞれ、赤用の１／４波長板、緑用の１／４波長板および青用の１／４波長板である。７はＲの色純度を高めるためにオレンジ光を光源側に戻すトリミングフィルタである。８はＲＢ用の入射側偏光板であり、透明基板に偏光素子を貼り付けて製作され、Ｐ偏光のみを透過する。
【００１６】
９は赤光の偏光方向を９０度回転させ、青光の偏光方向は変換しない色選択性位相差板である。１０は第２の偏光ビームスプリッタであり、Ｐ偏光を透過してＳ偏光を反射する偏光分離面を有する。１１ＢはＢ用の射出側偏光板であり、青光（Ｓ偏光）の検光を行う。１１ＧはＧ用の射出側偏光板であり、緑光（Ｓ偏光）の検光を行う。１２はダイクロイックプリズムであり、赤光と青光を透過し、緑光を反射することでこれらを合成して投射レンズ１３に入射させる。
【００１７】
このような光学構成において、光源１からの白色の無偏光光は、偏光変換素子１０１にてＰ偏光に変換されてダイクロイックミラー２に入射する。ダイクロイックミラー２で反射された赤光と青光は、トリミングフィルタ７でオレンジ光の成分がカットされた後、入射側偏光板８を透過して色選択性位相差板９に入射する。色選択性位相差板９は、前述したように赤光の偏光方向を９０度回転させてＳ偏光とし、青光をＰ偏光のまま射出する。赤のＳ偏光と青のＰ偏光は、第２の偏光ビームスプリッタ１０に入射する。
【００１８】
赤のＳ偏光は、第２の偏光ビームスプリッタ１０の偏光分離面で反射され、１／４波長板６Ｒを通過した後、赤用の反射型液晶パネル５Ｒに入射する。また、青のＰ偏光は、第２の偏光ビームスプリッタ１０の偏光分離面を透過して、１／４波長板６Ｂを通過した後、青用の反射型液晶パネル５Ｂに入射する。
【００１９】
反射型液晶パネル５Ｒは、入射した赤光を画像変調するとともに反射する。画像変調された赤光は、１／４波長板６Ｒを再び通過した後、第２の偏光ビームスプリッタ１０に再入射する。第２の偏光ビームスプリッタ１０に再入射した赤光のうちＳ偏光の成分は、該第２の偏光ビームスプリッタ１０の偏光分離面で再び反射されて光源側に戻されて投射光から除去される。また、第２の偏光ビームスプリッタ１０に再入射した赤光のうちＰ偏光の成分は、該第２の偏光ビームスプリッタ１０の偏光分離面を透過して投射光としてダイクロイックプリズム１２に向かう。
【００２０】
反射型液晶パネル５Ｂは、入射した青光を画像変調するとともに反射する。画像変調された青光は、１／４波長板６Ｂを再び通過した後、第２の偏光ビームスプリッタ１０に再入射する。第２の偏光ビームスプリッタ１０に再入射した青光のうちＰ偏光の成分は、該第２の偏光ビームスプリッタ１０の偏光分離面を再び透過して光源側に戻されて投射光から除去される。また、第２の偏光ビームスプリッタ１０に再入射した青光のうちＳ偏光の成分は、該第２の偏光ビームスプリッタ１０の偏光分離面で反射されて投射光としてダイクロイックプリズム１２に向かう。
【００２１】
一方、ダイクロイックミラー２を透過した緑光（Ｐ偏光）は、入射側偏光板３を透過し、第１の偏光ビームスプリッタ４の偏光分離面を透過した後、１／４波長板６Ｇを通過して、緑用の反射型液晶パネル５Ｇに入射する。反射型液晶パネル５Ｇは、入射した緑光を画像変調するとともに反射する。画像変調された緑光は、１／４波長板６Ｇを再び通過した後、第１の偏光ビームスプリッタ４に再入射する。第１の偏光ビームスプリッタ４に再入射した緑光のうちＰ偏光の成分は、該第１の偏光ビームスプリッタ４の偏光分離面を再び透過して光源側に戻されて投射光から除去される。また、第１の偏光ビームスプリッタ４に再入射した緑光のうちＳ偏光の成分は、該第１の偏光ビームスプリッタ４の偏光分離面で反射されて投射光としてダイクロイックプリズム１２に向かう。
【００２２】
ダイクロイックプリズム１２は、青光と赤光を透過させ、緑光を反射して、これらを合成して投射レンズ１３に向かわせる。投射レンズ１３は、合成された光を被投射面に拡大して投射することで、カラー画像を表示する。
【００２３】
次に、本実施例の液晶プロジェクタに設けられた光学素子の冷却構造について、図１および図２を用いて説明する。ここでは、冷却対象である２つの光学素子として、赤光と青光の光路に設けられた入射側偏光板８と色選択性位相差板９を例として説明する。ただし、同様に構成される冷却構造は、他の対向配置された２つの光学素子に対しても用いることができる。図１は入射側偏光板８（以下、単に偏光板という）、色選択性位相差板９（以下、単に位相差板という）および冷却構造を、後述する第２の方向（第１の方向に直交する方向）から見た図である。また、図２は、該冷却構造を、偏光板８および位相差板９を光が透過する方向である第３の方向αから見た図である。位相差板９が第１の光学素子に相当し、偏光板８が第２の光学素子に相当する。
【００２４】
図１に示すように、偏光板８と位相差板９は、偏光板８において射出する光が透過する射出面（透過面）と位相差板９において入射する光が透過する入射面（透過面）とが空間Ｓを挟んで互いに対向するように互いに平行に配置されている。以下の説明において、図１の紙面に平行で、かつ偏光板８の射出面と位相差板９の入射面に沿った、すなわち平行な方向（図１の左右方向）を、第１の方向という。また、偏光板８の射出面と位相差板９の入射面に沿った方向であって第１の方向に直交する方向（図２における上下方向）を第２の方向という。
【００２５】
なお、本実施例では、第１の方向を画像（液晶パネル５Ｒ，５Ｂ）の長辺が延びる方向とし、第２の方向が画像の短辺が延びる方向とする場合について説明するが、第１の方向を短辺が延びる方向とし、第２の方向を長辺が延びる方向としてもよい。また、第１の方向および第２の方向は、必ずしも画像の長辺や短辺に平行でなくてもよく、これらに対して傾いた方向であってもよい。
【００２６】
偏光板８と位相差板９に対して設けられた冷却構造は、以下のように構成されている。冷却構造は、第１の送風ファン（冷却ファン）１４と、第１の送風ダクト（導気部）１５と、第２の送風ファン（冷却ファン）１６と、第２の送風ダクト（導気部）１７と、カバー２０とを有する。第１の送風ファン１４と第２の送風ファン１６としては、軸流ファンやシロッコファン等、各種ファンを用いることができる。図２に示すカバー２０は、偏光板８と位相差板９との間の空間Ｓの外周を覆う。ただし、カバー２０における第２の方向の両側には、空間Ｓ内から空気を第２の方向に排出させるための排気口（排気部）２０ａが形成されている。
【００２７】
２つの導気部である第１および第２の送風ダクト１５，１７は、第１および第２の送風ファン１４，１６のそれぞれから流れてきた冷却用の空気１８，１９が空間Ｓに向けて流出する流出口を有する。これら流出口は、第１の方向において空間Ｓを挟む両側に配置されている。つまり、第１および第２の送風ダクト１５，１７は、第１および第２の送風ファン１４，１６の回転によってそれらから流れてきた空気１８，１９を、空間Ｓ内に、第１の方向の両側から流入させる役割を有する。
【００２８】
なお、本実施例では、第１および第２の送風ファン１４，１６から吐出された空気を第１および第２の送風ダクト１５，１７を介して空間Ｓ内に流入させる場合について説明する。しかし、空間Ｓから空気を吸い込む冷却ファンを用いて空気に流れを与え、空間Ｓの外部から導気部を通じて空気を流入させるようにしてもよい。
【００２９】
ここで、図１において、上述した第３の方向、言い換えれば偏光板８の射出面と位相差板９の入射面が互いに対向する方向において、第１および第２の送風ダクト１５，１７の流出口（空気の吹き込み面）の幅ｗ１，ｗ２は、空間Ｓの幅Ｗよりも狭い。そして、同じく第３の方向において、第１および第２の送風ダクト１５，１７の流出口の中心Ａ，Ｂは、空間Ｓの中心Ｃよりも偏光板８に近い位置に、言い換えれば、中心Ｃに対して偏心して配置されている。なお、第１および第２の送風ダクト１５，１７の流出口の幅ｗ１，ｗ２は、互いに同じであってもよいし、互いに異なっていてもよい。また、図２に示すように、第１および第２の送風ダクト１５，１７の流出口の第２の方向での高さｈ１，ｈ２は、空間Ｓの高さＨより狭くてもよいし、同じであってもよい。
【００３０】
このように構成された冷却構造において、第１の送風ファン１４ａが回転すると、該第１の送風ファン１４から吐出された空気１８が第１の送風ダクト１５を通過して、その流出口から偏光板８と位相差板９との間の空間Ｓに流れ込む。同時に、第２の送風ファン１６が回転すると、該第２の送風ファン１６から吐出された空気１９が第２の送風ダクト１７を通過して、その流出口から空間Ｓに流れ込む。前述したように、第１の送風ダクト１５の流出口と第２の送風ダクト１７の流出口とが第１の方向における空間Ｓの両側に配置されているため、空気１８と空気１９は空間Ｓ内にて互いに衝突する。この衝突が起きる位置の近傍においては、空気の圧力が上昇する。
【００３１】
そして、本実施例では、第３の方向において、第１および第２の送風ダクト１５，１７の流出口の中心Ａ，Ｂが空間Ｓの中心Ｃに対して偏心している。このため、空間Ｓにおける空気１８，１９の衝突位置と、該衝突位置よりも偏光板８側の空間部分および位相差板９側の空間部分との間に圧力差が生じる。したがって、衝突後の空間Ｓ内の空気は、第３の方向にて偏光板８に向かう空気と位相差板９に向かう空気とに分かれ、それぞれ偏光板８の射出面と位相差板９の入射面に当たって偏光板８と位相差板９を冷却する。こうして偏光板８と位相差板９を冷却した空気は、図２に示すように、排気口２０ａに向かって流れて空間Ｓ外に排気される。
【００３２】
ここで、第３の方向において、第１および第２の送風ダクト１５，１７の流出口の幅が空間Ｓの幅Ｗ間隔よりも広く設定されていると、それらから空間Ｓ内に流入した空気１８，１９が互いに衝突しても、第３の方向での圧力差が生じにくい。この場合、衝突後の空気は、第３の方向に分かれることなく排気口２０ａに向かって流れる（排気される）。
【００３３】
また、本実施例では、第１および第２の送風ダクト１５，１７の流出口の中心Ａ，Ｂが空間Ｓの中心Ｃに対して偏光板８側に偏心している。つまり、第３の方向において、空間Ｓにおける空気１８，１９の衝突位置よりも偏光板８側の空間部分と位相差板９側の空間部分とが非対称である。より具体的には、第３の方向において、位相差板９側の空間部分の幅が、偏光板８側の空間部分の幅よりも広い。このため、位相差板９側の空間部分の空気の圧力が、偏光板８側の空間部分の空気の圧力よりも低くなる。この結果、衝突後の空気のうち位相差板９に向かって流れる空気の流量が、偏光板８に向かって流れる空気の流量よりも多くなる。
【００３４】
色選択性位相差板は、一般に、偏光板に比べて、光を吸収し易く、温度も上昇し易い。つまり、色選択性位相差板は、偏光板に比べて、温度上昇による性能劣化等の問題が発生し易い。また、色選択性位相差板の許容温度は、偏光板の許容温度に比べて低いことが多い。したがって、本実施例のように偏光板８に向かう空気の流量を抑えつつ、位相差板９に向かう空気の流量を多くして該位相差板９の冷却効率をより高めることで、偏光板８と位相差板９のそれぞれに対して適切な冷却を行うことができる。これにより、偏光板８に向かう空気の流量を位相差板９に向かう空気の流量と同じにする場合に比べて、全体として必要な流量を少なくすることができる。このため、第１および第２の送風ファン１４，１６のサイズを小型化したり、それらの回転数を抑えて騒音を低減したりすることができる。
【００３５】
第１および第２の送風ダクト１５，１７の流出口の中心Ａ，Ｂの空間Ｓの中心Ｃに対する偏心量Ｄは、光が入射している状態の位相差板９と偏光板８の温度がそれぞれの目標温度となるように設定すればよい。
【００３６】
なお、排気口２０ａは、図３に変形例として示すように、カバー２０における第２の方向のうち一方の側にのみ形成されてもよい。この構成では、排気口２０ａから離れた位置で偏光板８と位相差板９のそれぞれに当たった空気は、排気口２０ａに向って流れる間に偏光板８と位相差板９に接触し続けてこれらからより多くの熱を除去する。このため、冷却効率をより増加させることができる。
【００３７】
また、本実施例では、第１および第２の送風ダクト１５，１７の流出口の幅ｗ１，ｗ２を空間Ｓの幅Ｗより狭くして、流出口の中心Ａ，Ｂを空間Ｓの中心Ｃに対して偏心させる場合について説明した。しかし、必ずしも第１および第２の送風ダクト１５，１７の流出口の幅を空間Ｓの幅より狭くする必要はない。例えば、第１および第２の送風ダクト１５，１７の流出口の幅を空間の幅と同じとし、該流出口を、その開口面積の重心が空間Ｓの中心Ｃに対して偏光板８側に偏心するような非回転対称な形状に形成してもよい。
【実施例２】
【００３８】
図５には、本発明の実施例２である液晶プロジェクタの冷却構造を示している。本実施例において、実施例１と共通する要素および同じ機能を有する要素については実施例１と同符号を付す。
【００３９】
図１に示した実施例１では、第３の方向において、空間Ｓの中心Ｃに対して偏心した第１および第２の送風ダクト１５，１７の流出口回りの外周面が、偏光板８から離れて配置されている場合について説明した。これに対して、本実施例では、第３の方向において、第１および第２の送風ダクト１５，１７の流出口回りの外周面が偏光板８に当接または近接する位置に配置されている。これにより、第１および第２の送風ダクト１５，１７の流出口の中心Ａ，Ｂの空間Ｓの中心Ｓに対する偏心量Ｄが最大となる。
【００４０】
なお、ここにいう「第１および第２の送風ダクト１５，１７の外周面が偏光板８に当接または近接する」とは、該外周面が偏光板８（の射出面）のうち光学的に有効な領域に当接または近接することを意味するものではない。すなわち、第１および第２の送風ダクト１５ａ，１７ａの外周面が、偏光板８のうち有効領域よりも外側の領域に当接または近接することを意味する。また、冷却構造の組立性を考慮して、図６に変形例として示すように、第１および第２の送風ダクト１５，１７の流出口回りの外周面を、偏光板８から、該偏光板８の射出面を延長した方向（第１の方向）に離してもよい。
【００４１】
さらに、図８に変形例として示すように、偏光板８（および位相差板９）を保持する保持部材２１に、第１および第２の送風ダクト１５，１７の外周面が当接または近接するようにしてもよい。
【００４２】
本実施例でも、実施例１と同様に、第１の方向における空間Ｓの両側から第１および第２の送風ダクト１５ａ，１７ａｂの流出口を通して空気１８，１９が空間Ｓ内に流入し、互いに衝突した後、偏光板８側と位相差板９側とに分かれて流れる。ただし、前述したように第１および第２の送風ダクト１５，１７が偏光板８に当接または近接するため、空気１８，１９の衝突位置よりも偏光板８側の空間部分と位相差板９側の空間部分との空気の圧力差が、実施例１よりも大きく（最も大きく）なる。したがって、衝突後に偏光板８に向かう空気の流量は最小となり、位相差板９に向かう空気の流量は最大となる。
【００４３】
本実施例によれば、実施例１と同様に偏光板８と位相差板９のそれぞれに対して適切な冷却を行うことができ、特に偏光板８として耐熱性が高いもの（例えば、ワイヤグリッド反射型偏光板）を使用する場合に位相差板９をより効率良く冷却することができる。
【００４４】
図７には、本実施例の冷却構造における空気の流れのシミュレーション結果を示している。本シミュレーションでは、偏光板８と位相差板９に相当する２枚の平板８′，９′を空間Ｓを挟んで互いに対向するように配置した。そして、第１および第２の送風ダクト１５，１７の流出口に相当する空気１８，１９の吹き込み口を、第１の方向における空間Ｓを挟んだ両側に、平板８′に当接するように（つまりは偏心量Ｄが最大となるように）設けた。また、図示はしていないが、排気口を図７の紙面に垂直な方向である第２の方向の両側に設けた。
【００４５】
図７から分かるように、空間Ｓの両側から該空間Ｓ内に流入した空気１８，１９が互いに衝突した後の空気は、第３の方向にて２つの平板８′，９′に向かって分かれて流れた。このとき、平板９′に向かって流れる空気（ハッチング矢印で示す）の流量は、平板８′に向かって流れる空気（黒く塗りつぶした矢印で示す）よりも多くなった。なお、実施例１でも、平板８′，９′に向かって流れる空気の流量の差が図７のシミュレーション結果よりも小さくなるものの、同様のシミュレーション結果が得られると考えられる。
【実施例３】
【００４６】
図９には、本発明の実施例３である液晶プロジェクタの冷却構造を示している。本実施例において、実施例１と共通する要素および同じ機能を有する要素については実施例１と同符号を付す。
【００４７】
実施例１，２では、送風ファン（第１および第２の送風ファン１４，１６）を２つ用い、それぞれの送風ファンから別々の送風ダクト（第１および第２の送風ダクト１５，１７）を介して空間Ｓの両側から空気１８，１９を流入させる場合について説明した。これに対して本実施例では、送風ファン２３を１つのみ用い、この送風ファン２３から吐出された空気を、１つの送風ダクト２２およびこれから分岐するように配管された第１および第２の送風ダクト１５，１７を介して空間Ｓの両側から空気１８，１９を流入させる。送風ファン２３としては、実施例１，２と同様に、軸流ファンやシロッコファン等を用いることができる。空間Ｓ内に流入した空気１８，１９が互いに衝突した後、偏光板８および位相差板９に向かって分かれて流れる点および位相差板９に向かう空気の流量が偏光板８に向かう空気の流量より多くなる点は、実施例１，２と同じである。
【００４８】
本実施例によれば、実施例１，２に比べて、送風ファンの個数を削減することができ、より小型の液晶プロジェクタへの実装を可能とすることができる。
【００４９】
以上説明したように、上記各実施例によれば、空間内で互いに衝突して第１および第２の光学素子の透過面にそれぞれ向かう空気のうち一方の流量を他方の流量よりも多くすることができる。このため、第１および第２の光学素子のそれぞれを適切な空気流量によって効率良く冷却することができる。この結果、冷却ファンの小型化や回転数および騒音の低減を図ることができ、画像投射装置の小型化および静音化を実現することができる。
【００５０】
以上説明した各実施例は代表的な例にすぎず、本発明の実施に際しては、各実施例に対して種々の変形や変更が可能である。
【産業上の利用可能性】
【００５１】
小型で低騒音の液晶プロジェクタ等の画像投射装置を提供できる。
【符号の説明】
【００５２】
８  入射側偏光板
９  色選択性位相差板
１４，１６  送風ファン
Ｓ  空間
【図１】
2014021459.tif 000003
【図２】
2014021459.tif 000004
【図３】
2014021459.tif 000005
【図４】
2014021459.tif 000006
【図５】
2014021459.tif 000007
【図６】
2014021459.tif 000008
【図７】
2014021459.tif 000009
【図８】
2014021459.tif 000010
【図９】
2014021459.tif 000011